(57)【要約】【課題】  画像、文章等のコンテンツが個人情報を含む場合に、本人が自分の個人情報の隠し方を選択できない。【解決手段】コンテンツ変換装置は、原コンテンツを格納するコンテンツ記憶手段と、他装置に変換方法指定の入力要求を送信する依頼手段と、他装置から変換方法指定を受信して、原コンテンツから他装置に対応する個人情報を抽出して、抽出した個人情報を受信した変換方法で変換した変換後コンテンツを作成して出力する変換手段を備える。【選択図】      図１
2011180900.tif 000002
【特許請求の範囲】
【請求項１】
原コンテンツを格納するコンテンツ記憶手段と、
他装置に変換方法指定の入力要求を送信する依頼手段と、
前記他装置から変換方法指定を受信して、前記原コンテンツから前記他装置に対応する個人情報を抽出して、抽出した個人情報を受信した前記変換方法で変換した変換後コンテンツを作成して出力する変換手段を備える、コンテンツ変換装置。
【請求項２】
前記他装置から前記他装置が記憶する照合情報を受信して、前記照合情報と前記原コンテンツを照合し、一致又は類似する部分を前記個人情報として抽出する前記変換手段を備える、請求項１のコンテンツ変換装置。
【請求項３】
複数の装置対応に、照合情報を格納する前記照合データ記憶手段内の各照合情報と前記原コンテンツを照合し、一致又は類似する部分が抽出された照合情報（合致情報）に対応する装置を前記他装置として選択する前記依頼手段と、
前記合致情報と前記原コンテンツを照合し、一致又は類似する部分を前記個人情報として抽出する前記変換手段を備える、請求項１のコンテンツ変換装置。
【請求項４】
顔写真又は氏名を個人情報として包含する原コンテンツを格納する前記コンテンツ記憶手段と、
前記他装置の利用者の顔写真又は氏名を照合情報として、前記原コンテンツと照合する前記変換手段を備える、請求項２または３のコンテンツ変換装置。
【請求項５】
コンテンツを入力してインターネット上に公開する公開サーバと、
前記他装置と、
前記変換後コンテンツを前記公開サーバに出力する前記変換手段を備える、請求項１乃至４の何れかのコンテンツ変換装置を包含する、コンテンツ変換システム。
【請求項６】
原コンテンツを格納するコンテンツ記憶手段を備えたコンピュータに、
他装置に変換方法指定の入力要求を送信する依頼処理と、
前記他装置から変換方法指定を受信して、前記原コンテンツから前記他装置に対応する個人情報を抽出して、抽出した個人情報を受信した前記変換方法で変換した変換後コンテンツを作成して出力する変換処理を実行させる、コンテンツ変換プログラム。
【請求項７】
前記コンピュータに、前記他装置から前記他装置が記憶する照合情報を受信して、前記照合情報と前記原コンテンツを照合し、一致又は類似する部分を前記個人情報として抽出する前記変換処理を実行させる、請求項６のコンテンツ変換プログラム。
【請求項８】
前記コンピュータに、複数の装置対応に、照合情報を格納する前記照合データ記憶手段内の各照合情報と前記原コンテンツを照合し、一致又は類似する部分が抽出された照合情報（合致情報）に対応する装置を前記他装置として選択する前記依頼処理と、
前記合致情報と前記原コンテンツを照合し、一致又は類似する部分を前記個人情報として抽出する前記変換処理を実行させる、請求項６のコンテンツ変換プログラム。
【請求項９】
コンテンツ記憶手段に原コンテンツを格納し、
他装置に変換方法指定の入力要求を送信し、
前記他装置から変換方法指定を受信して、前記原コンテンツから前記他装置に対応する個人情報を抽出して、抽出した個人情報を受信した前記変換方法で変換した変換後コンテンツを作成して出力する、コンテンツ変換方法。
【請求項１０】
前記他装置から前記他装置が記憶する照合情報を受信して、前記照合情報と前記原コンテンツを照合し、一致又は類似する部分を前記個人情報として抽出する、請求項９のコンテンツ変換方法。
【発明の詳細な説明】
【技術分野】
【０００１】
本発明は、コンテンツ変換装置、コンテンツ変換システム、コンテンツ変換方法、及びコンテンツ変換プログラムに関する。
【背景技術】
【０００２】
特許文献１は、表示装置に表示されている被写体のスルー画像に、操作者が選択した画像加工処理を行うカメラを開示する。当該カメラは、加工された画像を表示中にシャッタボタンが押されると、加工された画像を記録媒体に記録させる。
【０００３】
特許文献２は、読み込んだ画像から顔画像やテキスト等の部分画像を抽出して、部分画像の種類によって選択された加工処理を行う画像加工装置を開示する。
【先行技術文献】
【特許文献】
【０００４】
【特許文献１】特開平１１−１２０３３４号公報
【特許文献２】特開２００２−１００６３号公報
【発明の概要】
【発明が解決しようとする課題】
【０００５】
画像、文章等のコンテンツが個人情報を含む場合に、本人が自分の個人情報の隠し方を選択できない。
【０００６】
特許文献１のカメラ、特許文献２の画像処理装置では、被写体となった人物が自分の画像の加工処理方法を選択することが出来ない。本発明の目的は、上記課題を解決するための、技術を提供することにある。
【課題を解決するための手段】
【０００７】
本発明の一実施の形態に係るコンテンツ変換装置は、原コンテンツを格納するコンテンツ記憶手段と、他装置に変換方法指定の入力要求を送信する依頼手段と、前記他装置から変換方法指定を受信して、前記原コンテンツから前記他装置に対応する個人情報を抽出して、抽出した個人情報を受信した前記変換方法で変換した変換後コンテンツを作成して出力する変換手段を備える。
【０００８】
本発明の一実施の形態に係るコンテンツ変換プログラムは、原コンテンツを格納するコンテンツ記憶手段を備えたコンピュータに、他装置に変換方法指定の入力要求を送信する依頼処理と、前記他装置から変換方法指定を受信して、前記原コンテンツから前記他装置に対応する個人情報を抽出して、抽出した個人情報を受信した前記変換方法で変換した変換後コンテンツを作成して出力する変換処理を実行させる。
【０００９】
本発明の一実施の形態に係るコンテンツ変換方法は、コンテンツ記憶手段に原コンテンツを格納し、他装置に変換方法指定の入力要求を送信し、前記他装置から変換方法指定を受信して、前記原コンテンツから前記他装置に対応する個人情報を抽出して、抽出した個人情報を受信した前記変換方法で変換した変換後コンテンツを作成して出力する。
【発明の効果】
【００１０】
本発明に係るコンテンツ変換装置は、画像、文章等のコンテンツが個人情報を含む場合に、本人が自分の個人情報の隠し方を選択することを可能にする。
【図面の簡単な説明】
【００１１】
【図１】図１は、第１の実施の形態にかかるコンテンツ変換システム１０の構成図である。
【図２】図２は、図２は変換方法候補の表示例を示す。
【図３】図３は、原コンテンツに包含される個人情報の変換例を示す。
【図４】図４は、第１の実施の形態のコンテンツ変換装置２０の動作フローチャートである。
【図５】図５は、第２の実施の形態にかかるコンテンツ変換システム１０の構成図である。
【図６】図６は、各人情報記憶部２４に格納されるデータを示す。
【図７】図７は、第２の実施の形態のコンテンツ変換装置２０の動作フローチャートである。
【図８】図８は、第３の実施の形態にかかるコンテンツ変換システム１０の構成図である。
【発明を実施するための形態】
【００１２】
図１は、第１の実施の形態にかかるコンテンツ変換システム１０の構成図である。コンテンツ変換システム１０は、コンテンツ変換装置２０と、コンテンツ変換装置２０と公開ネット１３で接続された公開サーバ１２と、コンテンツ変換装置２０とローカルネット１４で接続された他装置３０を包含する。
【００１３】
公開ネット１３は、インターネット等のオープンな通信網であり、不特定多数の閲覧端末１１等が接続されている。ローカルネット１４は、企業内等のイントラネット、アドホックモードの無線ＬＡＮ（Local Area Network）等の特定の装置（コンテンツ変換装置２０、他装置３０等）だけが接続できる閉じた通信網である。ローカルネット１４は、公開ネット１３を用いて接続された特定の装置間の通信パス網を意味する場合もある。
【００１４】
コンテンツ変換装置２０は、コンテンツ内の個人情報を、当該個人情報所有者等の他装置３０が指定する方法で変換して、変換後のコンテンツを公開サーバ１２に送信する。公開サーバ１２は受信したコンテンツをＷｅｂページ等として公開する。公開後、閲覧端末１１の利用者は、ブラウザ等を用いて公開サーバ１２のコンテンツを閲覧する。即ち、コンテンツ変換装置２０は、コンテンツ内の個人情報がそのまま公開されるのを防止する。
【００１５】
コンテンツ変換装置２０は、依頼部２１と、変換部２２と、コンテンツ記憶部２３を包含する。
【００１６】
コンテンツ記憶部２３は、上述の変換対象となる原コンテンツを格納する。コンテンツは、一人以上の個人の個人情報を包含する情報である。コンテンツは、例えば個人の顔写真を包含する写真画像である。コンテンツは、個人の氏名、住所、電話番号等を包含するテキスト情報であっても良い。
【００１７】
コンテンツ変換装置２０は、例えば、コンテンツが画像ファイルであれば個人情報として顔写真を包含し、テキストファイルであれば氏名、住所、電話番号等を包含すると判断する。コンテンツがＨＴＭＬで記述されている場合、コンテンツ変換装置２０は、タグの記述からコンテンツの各部に包含される個人情報の種類を判断しても良い。
【００１８】
コンテンツ記憶部２３は、コンテンツ変換装置２０に直接接続されたディスク装置等の記憶装置である。コンテンツ記憶部２３は、コンテンツ変換装置２０にネットワーク経由で接続されたファイルサーバ等の情報処理装置であっても良い。
【００１９】
依頼部２１は、他装置３０に個人情報の変換方法の候補を示す情報（変換方法候補）を送信する。顔写真の変換方法は、塗り潰し、モザイク、目線隠し、そのまま、等である。氏名、住所等の変換方法は、塗り潰し、モザイク、置換、そのまま、等である。ここで、置換は、氏名、住所等の個人情報を、コンテンツ変換システム１０が他装置３０毎に生成したシンボル、通番、等で置換することを意味する。
【００２０】
変換部２２は、他装置３０から変換方法指定を受信して、当該他装置３０に対応する個人情報を受信した変換方法で変換し、変換後コンテンツを出力する。
【００２１】
依頼部２１および変換部２２は、専用回路としてハードウェアで実現される。依頼部２１および変換部２２の一方または両方は、コンテンツ変換装置２０の図示されないプロセッサが、コンテンツ変換プログラム２９を実行することで実現されても良い。
【００２２】
他装置３０は、応答部３１と、入出力部３２と、本人情報記憶部３３を包含する。入出力部３２は、入力キーと液晶ディスプレイ装置の組み合わせ等である。
【００２３】
本人情報記憶部３３は、他装置３０の所有者等の個人情報照合の為の情報（照合情報）を格納する。照合情報は他装置３０の所有者等の顔写真、所有者等の住所、氏名、電話番号等である。他装置３０が携帯電話等である場合、照会情報は、所有者が携帯電話に登録するプロフィール情報等を流用することが出来る。
【００２４】
応答部３１は、コンテンツ変換装置２０から個人情報の変換方法候補を受信して、当該情報を入出力部３２に表示する。他装置３０の所有者等が入出力部３２の入力キー等を操作して変換方法を選択すると、応答部３１は選択された変換方法の特定情報（変換方法指定）をコンテンツ変換装置２０に出力する。
【００２５】
図２は変換方法候補の表示例を示す。図３は、原コンテンツに包含される個人情報の変換例を示す。図３の原コンテンツは、ＡさんとＢさんの顔写真を含む写真画像である。コンテンツ変換装置２０は、Ａさんの他装置３０とＢさんの他装置３０に図２で示される変換方法候補を送信する。前者から目隠し、後者から塗り潰しの変換方法指定を受信したとき、コンテンツ変換装置２０は、写真画像に対し、Ａさんの顔の目線を塗り潰し、Ｂさんの顔全体を塗りつぶすという処理を実行する。
【００２６】
図４は、第１の実施の形態のコンテンツ変換装置２０の動作フローチャートである。コンテンツ変換装置２０の利用者の操作等により起動されると、依頼部２１および変換部２２は、例えば、ローカルネット１４に接続されているおのおのの他装置３０を対象に、Ｓ１乃至Ｓ３の処理を繰り返して行う。依頼部２１および変換部２２は、利用者の操作により指定された１以上の他装置３０のおのおのを対象としても良い。
【００２７】
依頼部２１は、処理対象の他装置３０に変換方法候補を送信する（Ｓ１）。このとき、依頼部２１は、併せてコンテンツ記憶部２３の原コンテンツを当該他装置３０に送信しても良い。また、依頼部２１は変換方法候補を示さず、変換方法入力要求を送信しても良い。
【００２８】
当該他装置３０の応答部３１は、当該変換方法候補を受信すると入出力部３２に表示する（図２）。原コンテンツが送信されている場合、応答部３１は原コンテンツも表示する。当該他装置３０の利用者が変換方法を選択すると、応答部３１は変換方法指定および本人情報記憶部３３に格納されている照合情報を依頼部２１に返信する。
【００２９】
変換部２２は、変換方法指定及び照合情報を受信する（Ｓ２）。変換部２２は、受信された照合情報を用いて原コンテンツ内の個人情報を抽出し、受信された変換方法で特定される変換方法で変換する（Ｓ３）。
【００３０】
原コンテンツに包含される個人情報が顔写真である場合、例えば、変換部２２は以下のように変換を行う。まず、変換部２２は、原コンテンツから顔部分を抽出する。次に、変換部２２は、当該部分の特徴点と受信された照合情報内の顔写真の特徴点を比較し、両者の類似度を算出する。類似度が所定値以上であれば、変換部２２は、原コンテンツの当該顔部分は変換すべき個人情報であると判断し、当該部分を受信した変換方法指定に基づいて変換する。
【００３１】
原コンテンツがテキストである場合、例えば、変換部２２は受信された照合情報内の住所、氏名等の各々と、原テキストとのパターン照合を行う。照合情報内の住所、氏名等の各々と一致する文字列があると、変換部２２は、当該文字列は変換すべき個人情報であると判断し、受信した変換方法指定に基づいて変換する。住所については、番地部分を除いた部分の一致で照合しても良い。
【００３２】
最後に、変換部２２は、変換後のコンテンツを公開サーバ１２に送信して（Ｓ４）、処理を終了する。
【００３３】
本実施の形態のコンテンツ変換装置２０は、画像、文章等のコンテンツが個人情報を含む場合に、本人が自分の個人情報の隠し方を選択することを可能にする。その理由は、変換部２２が、他装置３０から変換方法指定を受信して、原コンテンツから他装置３０に対応する個人情報を抽出して、抽出した個人情報を受信した前記変換方法で変換するからである。
【００３４】
更に、本実施の形態のコンテンツ変換装置２０は、個人情報所有者の操作負担を小さくしつつ、適切な個人情報の変換を可能とする。その理由は、変換部２２が他端末３０から個人情報所有者の顔写真等である照合情報を受信して、当該照合情報を用いて原コンテンツから個人情報を抽出するからである。
【００３５】
＜第２の実施形態＞
図５は、第２の実施の形態にかかるコンテンツ変換システム１０の構成図である。本実施の形態にかかるコンテンツ変換システム１０は、以下の点で第１の実施の形態と異なる。他の点に於いては変わらない。
【００３６】
本実施の形態のコンテンツ変換装置２０は、追加的に各人情報記憶部２４を備える。各人情報記憶部２４は、コンテンツ変換装置２０に直接接続されたディスク装置等の記憶装置である。各人情報記憶部２４は、コンテンツ変換装置２０にネットワーク経由で接続されたファイルサーバ等の情報処理装置であっても良い。
【００３７】
本実施の形態の他装置３０は、本人情報記憶部３３を包含しない。
【００３８】
図６は、各人情報記憶部２４に格納されるデータを示す。各人情報記憶部２４は、原コンテンツに個人情報が包含される可能性のある人物が有する他装置３０の通信アドレス（装置アドレス４１）と当該人物の照合情報（各人照合情報４２）を対応させて格納する。
【００３９】
図７は、第２の実施の形態のコンテンツ変換装置２０の動作フローチャートである。コンテンツ変換装置２０の利用者の操作等により起動されると、依頼部２１および変換部２２は、各人情報記憶部２４に格納されているおのおのの各人照合情報４２を対象に、Ｓ１１乃至Ｓ１５の処理を繰り返して行う。
【００４０】
依頼部２１は、原コンテンツに、処理中の各人照合情報４２と一致または類似する部分があるか否かを検査する（Ｓ１１）。各人照合情報４２と一致または類似する部分は、個人情報である。
【００４１】
あった場合（Ｓ１２でＹ）、依頼部２１は当該各人照合情報４２（合致情報）に対応する装置アドレス４１で特定される他装置３０に、変換方法候補を送信する（Ｓ１３）。
【００４２】
当該他装置３０の応答部３１が変換方法指定を返信すると、変換部２２は当該変換方法指定を受信する（Ｓ１４）。
【００４３】
変換部２２は、依頼部２１から合致情報を得て、当該合致情報を用いて原コンテンツ内の個人情報を抽出し、受信された変換方法指定で特定される変換方法で変換する（Ｓ１５）。抽出、変換は、第１の実施の形態における、図４のＳ３と同様の処理で行う。
【００４４】
原コンテンツに、処理中の各人照合情報４２と一致または類似する部分がない場合（Ｓ１２でＮ）、依頼部２１及び変換部２２は何もしない。
【００４５】
最後に、変換部２２は、変換後のコンテンツを公開サーバ１２に送信して（Ｓ１６）、処理を終了する。
【００４６】
本実施の形態のコンテンツ変換装置２０は、コンテンツ変換装置２０操作者の操作負担を小さくしつつ、適切な個人情報の変換を可能とする。その理由は、依頼部２１が原コンテンツに包含される個人情報の所有者の他装置３０を特定して、当該他装置３０へ変換方法候補を送信するからである。
【００４７】
＜第３の実施形態＞
図８は、第３の実施の形態にかかるコンテンツ変換システム１０の構成図である。本実施形態のコンテンツ変換装置２０は、コンテンツ記憶部２３と、依頼部２１と、変換部２２を備える。
【００４８】
コンテンツ記憶部２３は原コンテンツを格納する。依頼部２１は他装置３０に変換方法指定の入力要求を送信する。変換部２２は、他装置３０から変換方法指定を受信して、原コンテンツから他装置３０に対応する個人情報を抽出して、抽出した個人情報を受信した変換方法で変換した変換後コンテンツを作成して出力する。
【００４９】
本実施の形態のコンテンツ変換装置２０は、画像、文章等のコンテンツが個人情報を含む場合に、本人が自分の個人情報の隠し方を選択することを可能にする。その理由は、変換部２２が、他装置３０から変換方法指定を受信して、原コンテンツから他装置３０に対応する個人情報を抽出して、抽出した個人情報を受信した前記変換方法で変換するからである。
【符号の説明】
【００５０】
１０    コンテンツ変換システム
１１    閲覧端末
１２    公開サーバ
１３    公開ネット
１４    ローカルネット
２０    コンテンツ変換装置
２１    依頼部
２２    変換部
２３    コンテンツ記憶部
２４    各人情報記憶部
２９    コンテンツ変換プログラム
３０    他装置
３１    応答部
３２    入出力部
３３    本人情報記憶部
４１    装置アドレス
４２    各人照合情報
【図１】
2011180900.tif 000003
【図２】
2011180900.tif 000004
【図３】
2011180900.tif 000005
【図４】
2011180900.tif 000006
【図５】
2011180900.tif 000007
【図６】
2011180900.tif 000008
【図７】
2011180900.tif 000009
【図８】
2011180900.tif 000010